(57)【要約】【課題】容易に施工することができ、雨水の浸入を防止し、雨水を効率良く排水できるとともに、美観を向上させることができる屋根構造を提供する。【解決手段】棟側から軒先側に向かって下方に傾斜した傾斜した屋根面１Ｂに太陽光パネルＰが固定された屋根構造１は、軒先側の屋根面１Ｂに固定された取付部材１０と、取付部材１０の上部に固定され、太陽光パネルＰを保持する横桟１５と、横桟１５に固定され、太陽光パネルＰおよび横桟１５の軒先側の部分を覆う上部カバー１６と、屋根面１Ｂとの間に隙間Ｈが形成されるように、上部カバー１６と屋根面１Ｂとの間において、取付部材１０に取付けられ、取付部材１０の軒先側の部分を覆う下部カバー１７と、を備える。【選択図】図２
2018204216.tif 000002
【特許請求の範囲】
【請求項１】
棟側から軒先側に向かって下方に傾斜した屋根面に載置物が固定された屋根構造であって、
軒先側の前記屋根面に固定された取付部材と、
前記取付部材の上部に固定され、前記載置物を保持する横桟と、
前記横桟に固定され、前記載置物および前記横桟の軒先側の部分を覆う上部カバーと、
前記屋根面との間に隙間が形成されるように、前記上部カバーと前記屋根面との間において、前記取付部材に取付けられ、前記取付部材の軒先側の部分を覆う下部カバーと、
を備えることを特徴とする屋根構造。
【請求項２】
前記屋根面との間に前記隙間を形成する前記下部カバーの下端は、前記軒先よりも、前記棟側にオフセットしていることを特徴とする請求項１に記載の屋根構造。
【請求項３】
前記取付部材には、上方に向かって突出した突出部が形成されており、
前記下部カバーには、前記下方に開口した凹部を有した係止爪が形成されており、
前記下部カバーの前記凹部に前記取付部材の前記突出部が収納され、かつ、前記突出部に前記係止爪が係止された状態で、前記突出部と前記横桟との間に前記係止爪が挟み込まれることにより、前記下部カバーが前記取付部材に取付けられていることを特徴とする請求項１または２に記載の屋根構造。
【請求項４】
前記横桟には、締結部材の締結により前記締結部材を介して前記取付部材に固定された状態で、前記取付部材を上方から押さえる押さえ部と、
前記押さえ部の両側から、前記締結部材を収納するように立ち上がった立ち上げ部と、
前記立ち上げ部に連続し、前記載置物の底面を受ける受け部と、が形成されており、
前記係止爪は、前記突出部と前記立ち上げ部との間に挟み込まれていることを特徴とする請求項３に記載の屋根構造。
【請求項５】
前記屋根面は、スレート瓦が被覆された表面と、前記載置物を載置する部位に、前記スレート瓦が無く、リブ付き鋼板が被覆された表面とを備え、前記取付部材は、前記リブ付き鋼板が被覆された表面に固定されていることを特徴とする請求項１〜４のいずれか一項に記載の屋根構造。
【発明の詳細な説明】
【技術分野】
【０００１】
本発明は、屋根構造に係り、特に、太陽光パネル等の載置物が傾斜した屋根面に固定された屋根構造に関する。
【背景技術】
【０００２】
従来、この種の屋根構造としては、建物の棟側から軒先側に向かって下方に傾斜した屋根面に、太陽光パネルが載置物として固定された屋根構造が提案されている。この屋根構造では、屋根面に固定され、載置物（太陽光パネル）を載置するための取付部材（架台）と、取付部材の上部に固定された横桟（取付補強具）と、横桟に固定され、屋根面との間に隙間が形成されるように、載置物、横桟、および取付部材の軒先側の部分を覆う軒先カバーとを備えている（例えば、特許文献１参照）。
【０００３】
このような屋根構造によれば、軒先カバーで、載置物、横桟、および取付部材の軒先側の部分を覆うことにより、屋根の美観を保ち、軒先カバーと屋根面との間に形成された隙間から、棟側から軒先側の屋根面に沿って流下する雨水を排水することができる。
【先行技術文献】
【特許文献】
【０００４】
【特許文献１】特開２０１１−２０８３８４号公報
【発明の概要】
【発明が解決しようとする課題】
【０００５】
ここで、上述した特許文献１の如き屋根構造では、軒先カバーは、載置物、横桟、および取付部材の軒先側の部分を覆うとともに、その軒先カバーの先端と屋根面との間に、隙間を形成している。しかしながら、軒先カバーは、載置物の軒先側の部分も覆うので、載置物が載置された横桟に取り付けられている。これにより、横桟および横桟を固定する取付部材の寸法誤差、取付誤差などの誤差が起因となって、屋根面に対する軒先カバーの取付精度が低下することがある。このような結果、軒先カバーにより、載置物、横桟、および取付部材の軒先側の部分を覆うことができたとしても、屋根面と軒先カバーとの間に、形成された隙間を所望の大きさに確保することが難しいことがある。
【０００６】
たとえば、屋根面と軒先カバーとが、一部接触してしまう、または、これらの隙間が小さ過ぎる場合、棟側から軒先側の屋根面に沿って流下する雨水を好適に排水することができないことがある。一方、屋根面と軒先カバーとの隙間が大き過ぎる場合、この隙間から取付部材の軒先側の部分が見えてしまい、屋根の美観を損なうばかりでなく、この隙間に向かって吹き付けられた雨水が軒先カバーの内部に浸入するおそれもある。
【０００７】
本発明は、このような問題に鑑みてなされたものであって、雨水の浸入を防止し、効率良く雨水を排水できるとともに、屋根の美観を向上させることができる屋根構造を提供するものである。
【課題を解決するための手段】
【０００８】
前記目的を達成すべく、本発明に係る屋根構造は、棟側から軒先側に向かって下方に傾斜した屋根面に載置物が固定された屋根構造であって、軒先側の前記屋根面に固定された取付部材と、前記取付部材の上部に固定され、前記載置物を保持する横桟と、前記横桟に固定され、前記載置物および前記横桟の軒先側の部分を覆う上部カバーと、前記屋根面との間に隙間が形成されるように、前記上部カバーと前記屋根面との間において、前記取付部材に取付けられ、前記取付部材の軒先側の部分を覆う下部カバーと、を備えることを特徴とする。
【０００９】
本発明によれば、載置物および横桟の軒先側の部分を、横桟に固定された上部カバーで覆い、取付部材の軒先側の部分を、取付部材に取付けられた下部カバーで覆うことができる。これにより、上部カバーおよび下部カバーにより、載置物、横桟、および取付部材が、屋根の軒先側に露出し難くなり、軒先の美観を損なうことはない。なお、本発明でいう「軒先」とは、下方に傾斜した屋根面の先端のことをいう。
【００１０】
さらに、下部カバーは、取付部材に取付けられているため、横桟の寸法精度および取付部材と横桟との取付精度に依存しない。したがって、下部カバーの取付精度は、上部カバーとは異なり、これらの寸法誤差および取付誤差が累積されないため、下部カバーと屋根面との隙間の大きさを精度良く確保することができる。このような結果、下部カバーの内部への雨水の吹込みを抑えることができるとともに、屋根面に沿って流下する雨水をこの隙間から効率良く排水することができる。
【００１１】
ここで、屋根面との間に隙間を形成することができるのであれば、たとえば下部カバーの下端の位置は、軒先に一致していてもよく、その位置は特に限定されるものではない。しかしながら、より好ましい態様としては、前記屋根面との間に前記隙間を形成する前記下部カバーの下端は、前記軒先よりも、前記棟側にオフセットしている。
【００１２】
この態様によれば、下部カバーの下端が、軒先（すなわち屋根面の先端）より棟側にオフセットしているため、軒先に強風が吹き付けたとき、軒先から下部カバーの外表面に沿って、空気の流れが形成される。これにより、下部カバーの棟側（内側）の空間が負圧状態となり、屋根面を沿って流下する雨水が、この空間からの軒先側に吸い出される。これにより、屋根面を沿って流下する雨水をより効率良く排水することができる。
【００１３】
また、下部カバーを、取付部材に取付けることができるのであれば、たとえば下部カバーを取付部材に締結部材で締結してよく、その取付状態は、限定されるものではない。しかしながら、より好ましい態様としては、前記取付部材には、上方に向かって突出した突出部が形成されており、前記下部カバーには、前記下方に開口した凹部を有した係止爪が形成されており、前記下部カバーの前記凹部に前記取付部材の前記突出部が収納され、かつ、前記突出部に前記係止爪が係止された状態で、前記突出部と前記横桟との間に前記係止爪が挟み込まれることにより、前記下部カバーが前記取付部材に取付けられている。
【００１４】
この態様によれば、下部カバーの凹部に取付部材の突出部が収納され、かつ、突出部に係止爪が係止された状態で、突出部と横桟との間に、下部カバーの係止爪が挟み込まれているので、締結具等を用いずに、下部カバーを取付部材に簡単かつ精度良く取付けることができる。
【００１５】
さらに、横桟を取付部材に固定することができるのであれば、たとえば、横桟の上方に立ち上がった部分において、締結部材などにより横桟を取付部材に固定されていてもよく、横桟の取付け位置は特に限定されるものではない。しかしながら、より好ましい態様としては、前記横桟には、締結部材の締結により前記締結部材を介して前記取付部材に固定された状態で、前記取付部材を上方から押さえる押さえ部と、前記押さえ部の両側から、前記締結部材を収納するように立ち上がった立ち上げ部と、前記立ち上げ部に連続し、前記載置物の底面を受ける受け部と、が形成されており、前記係止爪は、前記突出部と前記立ち上げ部との間に挟み込まれている。
【００１６】
この態様によれば、締結部材の締結により、横桟の押さえ部で取付部材を上方から押さえ、さらに、押さえ部の両側の立ち上げ部に連続した受け部により、載置物の底面を下方から支持することができる。これにより、たとえば、締結部材の締結の緩みが発生したとしても、載置物の荷重は、受け部から立ち上げ部を介して押さえ部に作用し、横桟の押さえ部で取付部材を押さえることができる。この結果、取付部材の突出部と横桟の立ち上げ部とによる下部カバーの係止爪の挟み込みを安定させ、下部カバーを取付部材に安定して固定することができる。さらに、押さえ部と受け部との間に、締結部材を収納するように立ち上げ部を設けたことにより、コンパクトな構造で、横桟と取付部材との締結、および、取付部材に対する横桟の安定した固定を実現することができる。
【００１７】
また、より好ましい態様としては、前記屋根面は、スレート瓦が被覆された表面と、前記載置物を載置する部位に、前記スレート瓦が無く、リブ付き鋼板が被覆された表面とを備え、前記取付部材は、前記リブ付き鋼板が被覆された表面に固定されている。
【００１８】
この態様によれば、屋根面に載置物を載置する部位には、スレート瓦が無くリブ付き鋼板が被覆されているので、屋根構造の強度を保ちつつ、屋根構造を軽量化することができる。さらに、上部カバーの下端と屋根面との隙間を、スレート瓦の厚みよりも大きくすれば、たとえ、スレート瓦の一部が上部カバーと屋根面との間に入り込むような配置になったとしても、下部カバーの軒先に亘る幅を調整すれば、上部カバーをスレート瓦の一部を逃がすように切欠くことなく、これらの間に、スレート瓦の一部を簡単に逃がすことができる。
【発明の効果】
【００１９】
本発明の屋根構造は、載置物および載置物を保持する横桟の軒先側の部分を上部カバーで覆い、上部カバーと屋根面との隙間から見える取付部材を下部カバーで覆うため、屋根の美観を向上させることができる。
【００２０】
下部カバーは、横桟ではなく、取付部材に直接的に取付られているため、上部カバーに比べて下部カバーの取付精度を高め、下部カバーと屋根面との隙間を所望の大きさに確保することができる。この結果、この隙間から雨水の浸入を防止し、屋根面に沿って流下する雨水をこの隙間から効率良く排水することができる。
【図面の簡単な説明】
【００２１】
【図１】（ａ）は、本発明に係る屋根構造の一実施形態を示す平面図、（ｂ）は、（ａ）の要部立面図、（ｃ）は、（ａ）のＡ−Ａ線に沿う断面図である。
【図２】図１（ａ）のＢ−Ｂ線に沿う断面図である。
【図３】図１（ｃ）の要部断面図である。
【図４】図２の要部断面図である。
【図５】図２に示す部材の詳細を示し、（ａ）はベースを軒先方向から視た端面図、（ｂ）はストッパの斜視図、（ｃ）は（ｂ）の断面図、（ｄ）はストッパ止め具の断面図である。
【図６】図２に示す部材の詳細を示し、（ａ）は横桟の断面図、（ｂ）は上部カバーの断面図、（ｃ）は下部カバーの断面図である。
【図７】図２に示す屋根材に対して、パッキングおよび取付部材を施工する方法を説明するための模式的断面図である。
【図８】図７に示す施工状態から、下部カバー、横桟、ストッパ止め具、ストッパ止めねじを施工する方法を説明するための模式的断面図である。
【図９】図８に示す施工状態から、上部カバーを固定する方法を説明するための模式的断面図である。
【図１０】図９に示す施工状態から、太陽光パネルを載置する方法を説明するための模式的断面図である。
【発明を実施するための形態】
【００２２】
以下、本発明に係る屋根構造およびその施工方法の一実施形態を図１〜図１０を参照しながら詳細に説明する。なお、これらの図面のうち、一部の部材の断面図には、便宜上、断面のハッチングを省略している。
【００２３】
１．屋根構造１について
図１（ａ）、（ｂ）に示すように、屋根（屋根構造）１は、棟１Ａと、棟１Ａから軒先１Ｃに向かって下方に傾斜する２つの屋根面１Ｂとを備える切妻屋根として構成されている。なお、切妻屋根に限られるものでなく、傾斜面を有する屋根であれば、寄棟屋根や片流れ屋根等の形状の屋根でもよいことは勿論である。
【００２４】
棟１Ａから軒先１Ｃに向けて傾斜する南側に面する傾斜面、すなわち太陽光が直射する屋根面１Ｂには、載置物として複数個の太陽光パネルＰを備えた太陽電池装置Ｍが載置された状態で固定されている。なお、本実施形態では、載置物として、太陽電池装置Ｍを例示したが、屋根面１Ｂに載置するものであれば、特に限定されるものではなく、たとえば、載置物として緑化パネルなどであってもよい。
【００２５】
複数個の太陽光パネルＰは並んだ状態で屋根面１Ｂに配列され、必要な電力量の枚数の太陽光パネルＰが配列されている。図示の例では、１８個の太陽光パネルＰが並べて配列されている。各太陽光パネルＰは平面視で矩形状であり、各太陽光パネルＰの周縁には、図１（ｃ）および図２に示すように、アルミニウムの押し出し材を連結した枠体Ｍａが取付けられている。枠体Ｍａの外方には、太陽光パネルＰを固定するための上方に湾曲した引掛け部Ｍｂが形成されている。なお、太陽光パネルＰの内部に配置された制御基板、制御機器等は図示を省略している。
【００２６】
本実施形態の屋根構造１では、図１から図３に示されるように、合板等の屋根材２の上にアスファルトルーフィングなどの防水シート３が敷設され、その上にスレート瓦４が葺かれている。スレート瓦４は太陽光パネルＰが固定される部位には配置されず、防水シート３の上にリブ付き鋼板５が敷設されている。リブ付き鋼板５の端部は、スレート瓦４に潜り込むように延在している。
【００２７】
リブ付き鋼板５は薄い鋼板にプレス等で成形して三角状の山形を所定の間隔で形成したものである。屋根材２の軒先側の下端には、金属板材を屈成した軒先水切り６が固定されている。軒先水切り６の上側には、表面側に折り曲げられた折り曲げ部６ａが形成されている。軒先水切り６の上には防水シート３が敷かれ、その上にはリブ付き鋼板５が葺かれて、防水されている。
【００２８】
太陽光パネルＰを設置する屋根面１Ｂの部位は、スレート瓦４が無くリブ付き鋼板５が被覆された表面となっている。このため、リブ付き鋼板５の上に太陽光パネルＰを設置することにより、スレート瓦４の上に太陽光パネルＰを設置する場合と比較して、設置高さを低減することができる。また、屋根構造１の重さを低減することができる。
【００２９】
２．取付部材１０について
図２および図３に示すように、軒先側の屋根面１Ｂには、太陽光パネルＰを載置した状態でこれを固定するための取付部材１０が固定されている。本実施形態では、取付部材１０は、ベース１１と、ストッパ１２と、ストッパ止め具１３と、締結部材１３Ａと、で少なくとも構成されている。
【００３０】
ベース１１は、その長手方向が屋根面１Ｂの傾斜に合わせて、軒先１Ｃから棟１Ａに向けて固定されており、リブ付き鋼板５の上から４本の固定ねじ１４で屋根材２に固定されている。具体的には、ベース１１は、リブ付き鋼板５の山形を避けた平坦部にベース１１の後述する設置部１１ａを対接させ、設置部１１ａに固定ねじ１４を貫通させ、これを屋根材２にねじ込むことにより、屋根材２に固定されている。なお、取付部材１０のベース１１とリブ付き鋼板５との間には、防水機能を有するパッキングＦが挟まれているが、このパッキングＦは省略してもよい。
【００３１】
図３および図５（ａ）に示すように、取付部材１０のベース１１は、金属板材を屈曲形成したものであり、断面形状は上方に開口する略Ｃ字状に形成されている。具体的には、ベース１１は、屋根面１Ｂに当接して設置される設置部１１ａと、設置部１１ａの両側から立ち上がった側壁部１１ｂと、各側壁部１１ｂから内側に向けて屈曲し、その先端が下方に折り込まれた鍔部１１ｃ、１１ｃとを備えている。鍔部１１ｃ、１１ｃの間には、上方に開口する溝部１１ｄが形成されている。図３に示すように、鍔部１１ｃは、その上に配置される横桟１５を直接支持し、その先端がストッパ１２の傾斜部１２ｂに当接することにより、ストッパ１２の上方向の移動を制限している。
【００３２】
さらに、図３および図４に示すように、側壁部１１ｂの内面には、ベース１１内で、溝部１１ｄに沿ったストッパ１２の下方への移動を制限する突起１１ｅ、１１ｅが形成されている。
【００３３】
ストッパ１２は、取付部材１０のベース１１の内側に、その長手方向に移動可能に挿入されるような寸法形状に設定されている。ストッパ１２は、厚手の金属板材を屈曲形成したものである。ストッパ１２は、図５（ｂ）、（ｃ）に示すように、中央の平坦部１２ａと、平坦部１２ａの両側において斜め下方に傾斜した傾斜部１２ｂ、１２ｂと、各傾斜部１２ｂから上方に立ち上がった摺動部１２ｃ、１２ｃと、を備えている。摺動部１２ｃ、１２ｃは、ベース１１の側壁部１１ｂ、１１ｂの内面に摺動可能に対接するように形成されている（図３参照）。
【００３４】
また、ストッパ１２は、平坦部１２ａの軒先側から上方に向かって突出した板状の突出部１２ｄと、平坦部１２ａの中央部に形成された止めねじ１２ｅとをさらに備えている。突出部１２ｄは、ベース１１の鍔部１１ｃ、１１ｃ間の溝部１１ｄから飛び出すように、その幅および高さが設定されている（図３、図４参照）。この突出部１２ｄは、後述する下部カバー１７を固定する際に、位置決めするものである。
【００３５】
ストッパ止め具１３は、ストッパ１２とともに後述する下部カバー１７および横桟１５を固定するものであり、図５（ｄ）に示すように、厚手の金属板材を断面Ｌ字状に屈曲させたアングル材で構成されている。ストッパ止め具１３は、平面部１３ａと、この平面部１３ａから直角に立ち上がる立ち上げ部１３ｂとを有しており、平面部１３ａには止めねじなどの締結部材１３Ａが挿通する貫通孔１３ｃが形成されている。
【００３６】
３．横桟１５について
横桟１５は、取付部材１０の上部に固定され、太陽光パネルＰを保持するものである。具体的には、図３に示すように、横桟１５は、ベース１１の上部となる鍔部１１ｃ、１１ｃに載置された状態で、取付部材１０に固定され、太陽光パネルＰを保持している。より具体的には、図４に示すように、横桟１５は、ベース１１内に位置するストッパ１２と、ベース１１の上部に位置するストッパ止め具１３との間に挟まれた状態で、締結部材１３Ａにより、取付部材１０に固定されている。このようにして、横桟１５は、軒先１Ｃが形成された水平方向に沿って配置され、横桟１５の長手方向と、取付部材１０の長手方向とは直交するように固定される。
【００３７】
横桟１５は、金属板材を屈曲して形成したものである。図４および図６（ａ）に示すように、横桟１５には、締結部材１３Ａの締結により、締結部材１３Ａを介して、取付部材１０に固定された状態で、取付部材１０を上方から押さえる押さえ部１５ａが形成されている。押さえ部１５ａには、締結部材１３Ａが挿通する貫通孔１５ｇが形成されている。また、横桟１５には、押さえ部１５ａの両側から、締結部材１３Ａ（の止めねじの頭部）を収納するように立ち上がった立ち上げ部１５ｂ、１５ｂと、各立ち上げ部１５ｂに連続し、太陽光パネルＰの底面を受ける受け部１５ｃと、が形成されている。
【００３８】
締結部材１３Ａの締結により、横桟１５の押さえ部１５ａで取付部材１０の鍔部１１ｃを上方から押さえ、さらに、押さえ部１５ａの両側の立ち上げ部１５ｂに連続した受け部１５ｃにより、太陽光パネルＰの底面を下方から支持することができる（図４参照）。
【００３９】
このような結果、締結部材１３Ａの締結の緩みが発生したとしても、太陽光パネルＰの荷重は、受け部１５ｃから立ち上げ部１５ｂを介して押さえ部１５ａに作用し、横桟１５の押さえ部１５ａで取付部材１０を押さえることができる。このため、横桟１５を取付部材１０に安定して固定することができるので、後述する横桟１５に取付られた上部カバー１６の取付精度を安定して確保することができる。また、取付部材１０も横桟１５に押さえられているため、取付部材１０に取付けられた下部カバー１７を安定して保持することができる。
【００４０】
また、押さえ部１５ａと受け部１５ｃとの間に、締結部材１３Ａを収納するように立ち上げ部１５ｂを設けたことにより、コンパクトな構造で、横桟１５と取付部材１０との締結、および、取付部材１０に対する横桟１５の安定した固定を実現することができる。
【００４１】
さらに、横桟１５には、軒先側の受け部１５ｃから上方に延出する支持立ち上げ部１５ｄが形成されており、支持立ち上げ部１５ｄには、軒先方向および棟方向に向けて突出する係合爪１５ｅ、１５ｅが形成されている。棟側の係合爪１５ｅには、太陽光パネルＰの枠体Ｍａの引掛け部Ｍｂが係合し、軒先側の係合爪１５ｅには、後述する上部カバー１６の端部が係合している（図２参照）。
【００４２】
さらに、支持立ち上げ部１５ｄの軒先側には、上方から下部カバー１７を押さえるカバー押さえ部１５ｆが形成されている。カバー押さえ部１５ｆを設けることにより、下部カバー１７の浮き上がりを防止し、後述する下部カバー１７と、軒先水切り６の表面である屋根面１Ｂと間に、所望の大きさの隙間Ｈをより精度よく確保することができる。
【００４３】
４．上部カバー１６について
図２に示すように、上部カバー１６は、アルミニウムの押出し材で形成されたものであり、止めねじ１６Ａを介して横桟１５に固定され、太陽光パネルＰおよび横桟１５の軒先側の部分を覆うものである。
【００４４】
図２および図６（ｂ）に示すように、上部カバー１６には、カバー本体１６ａと、カバー本体１６ａに連続した取付け部１６ｂとが、形成されている。カバー本体１６ａは、太陽光パネルＰおよび横桟１５の軒先側の部分を覆う部分であり、屋根面１Ｂに対して、棟側から軒先側に下方に傾斜し、その先端側が、屋根面１Ｂに向かって垂下している。取付け部１６ｂは、横桟１５の支持立ち上げ部１５ｄと対接し、軒先側の係合爪１５ｅに係合して上部カバー１６を止めねじ１６Ａで固定されている。
【００４５】
さらに、上部カバー１６の下端１６ｄと屋根面１Ｂとの隙間Ｄは、スレート瓦４の厚みよりも大きくなっている。これにより、図１（ｃ）に示すように、スレート瓦４の一部が上部カバー１６と屋根面１Ｂとの間に入り込むような配置になったとしても、後述する下部カバーの軒先１Ｃに亘る幅を調整すれば、上部カバー１６をスレート瓦４の一部を逃がすように切欠くことなく、これらの間に、スレート瓦４の一部を簡単に逃がすことができる。
【００４６】
５．下部カバー１７について
図２および図６（ｃ）に示すように、下部カバー１７は、屋根面１Ｂとの間に、屋根面１Ｂに沿って流下する雨水（水）の排水用の隙間Ｈ（図２参照）が形成されるように、上部カバー１６と屋根面１Ｂとの間において、取付部材１０に取付けられ、取付部材１０の軒先側の部分を覆っている。このように、上部カバー１６と下部カバー１７とにより、太陽光パネルＰ、横桟１５、および取付部材１０の軒先側の部分が覆われ、これらの部分が露出し難くなり、軒先の美観を高めることができる。
【００４７】
上述したように、上部カバー１６は、横桟１５に固定されているのに対して、下部カバー１７は、取付部材１０に取付けられているため、横桟１５の寸法精度および取付部材１０と横桟１５との取付精度に依存しない。したがって、下部カバー１７の取付精度は、上部カバー１６とは異なり、これらの寸法誤差および取付誤差が累積されないため、下部カバー１７と屋根面１Ｂとの排水用の隙間Ｈの大きさを精度良く確保することができる。このような結果、下部カバー１７の内部への雨水の吹込みを抑えることができるとともに、屋根面１Ｂに沿って流下する雨水を効率良く排水することができる。
【００４８】
下部カバー１７と屋根面１Ｂとの隙間、すなわち、下部カバー１７の下端１７ｄと、軒先水切り６との隙間Ｈの大きさは３〜５ｍｍ程度が好ましく、本実施形態では、３ｍｍ程度に設定されている。なお、隙間Ｈが大きすぎると雨水の浸入が多くなり、これが小さいと、棟側から軒先側に屋根面１Ｂを沿って流下する雨水の排水が効率良く行われない。
【００４９】
下部カバー１７には、下方に開口した凹部１７ｂを有した係止爪１７ａと、取付部材１０から軒先側に張り出したカバー本体１７ｃと、が形成されている。具体的には、図４に示すように、下部カバー１７の凹部１７ｂには、取付部材１０を構成するストッパ１２の突出部１２ｄが収納され、かつ、突出部１２ｄに係止爪１７ａが係止されている。この状態で、突出部１２ｄと横桟１５（の軒先側の立ち上げ部１５ｂ）との間に係止爪１７ａが挟み込まれることにより、下部カバー１７が取付部材１０に取付けられている。
【００５０】
さらに、凹部１７ｂには、棟側から軒先側に沿った方向にストッパ１２の板状の突出部１２ｄの板厚よりも広い幅となる空間が形成されており、凹部１７ｂの空間には、ストッパ１２の突出部１２ｄが配置されている。これにより、施工時に、下部カバー１７の凹部１７ｂに、突出部１２ｄを簡単に収納することができ、下部カバー１７の自重により、下部カバー１７を係止爪１７ａの棟側の内側面に当接させ、下部カバー１７の位置決めを容易に行うことができる。
【００５１】
さらに、図２に示すように、下部カバー１７のカバー本体１７ｃの下端１７ｄは、軒先１Ｃ（屋根面１Ｂの先端）よりも、棟側にオフセットされている。下部カバー１７のカバー本体１７ｃの下端１７ｄのオフセット量Ｌは、上述した隙間Ｈよりも大きく、たとえば、１０ｍｍ以上が好ましく、より好ましくは、１０〜１２ｍｍである。本実施形態では、１０ｍｍ程度に設定されている。
【００５２】
このように、下部カバー１７の下端１７ｄが、軒先１Ｃ（すなわち屋根面１Ｂの先端）より棟側にオフセットしているため、図２に示すように、軒先１Ｃに強風が吹き付けたとき、空気Ｗは、軒先水切り６の傾斜に沿って上昇し、軒先１Ｃから下部カバー１７の外表面に沿って、空気Ｗの流れが形成される。これにより、下部カバー１７の棟側（内側）の空間Ｓが負圧状態となり、屋根面１Ｂを沿って流下する雨水が、この空間Ｓからの軒先側に吸い出される。この結果、屋根面１Ｂを沿って流下する雨水をより効率良く排水することができる。特に、上述した隙間Ｈの範囲およびオフセット量Ｌの範囲の双方を満たすことにより、このような効果を一層期待することができる。なお、太陽光パネルＰの棟側の取付構造は、図示しないが、軒側の構造と同様の構造であり、軒側の下部カバーを省略した構造となっている。
【００５３】
さらに、図４に示すように、突出部１２ｄと横桟１５（の軒先側の立ち上げ部１５ｂ）とで係止爪１７ａが挟み込まれた位置に対して、締結部材１３Ａは棟側にあり、この挟み込まれた位置と、カバー押さえ部１５ｆとの間において、横桟１５と、下部カバー１７との間には、隙間Ｃが形成されている。より具体的には、本実施形態では、隙間Ｃは、軒先側の横桟１５の受け部１５ｃと、下部カバー１７の係止爪１７ａのうち受け部１５ｃに対向する部分と、の間に形成されている。この隙間Ｃを形成することで、締結部材１３Ａを介して横桟１５を取付部材１０に取付けた際に、締結部材１３Ａの締め込みにより、締結部材１３Ａの軸方向に作用する力を、カバー押さえ部１５ｆから下部カバー１７に伝えることができる。これにより、横桟１５のカバー押さえ部１５ｆが、下部カバー１７から浮き上がることを防止し、カバー押さえ部１５ｆで、下部カバー１７を押えることができる。このような結果、上述した隙間Ｈを一定の隙間に保持することができる。
【００５４】
６．施工方法について
前記の如く構成された本実施形態の屋根構造１の施工方法について以下に説明する。まず、合板等の屋根材２の上に防水シート３および軒先水切り６を敷設し、太陽光パネルＰを載置する部位にはリブ付き鋼板５を敷設し、太陽光パネルＰを設置しない部位にはスレート瓦４を葺く。これにより、屋根面１Ｂが形成される。本実施形態では、太陽光パネルＰを載置する部位にはリブ付き鋼板５を敷設したので、太陽光パネルＰは、スレート瓦４の上に設置する場合と比較して、スレート瓦４の厚さ分だけ低い位置に設置することができる。また、リブ付き鋼板５の山部（リブ）が、施工時の滑り止めとなる。
【００５５】
図７に示すように、屋根面１Ｂを構成する屋根材２のリブ付き鋼板５の上に、パッキングＦを挟んで太陽光パネルＰを載置固定するための取付部材１０のベース１１を、４本の固定ねじ１４でリブ付き鋼板５を貫通して固定する。そして、ベース１１の内部にストッパ１２を棟側より挿入して、ベース１１に対してスライドさせ、軒先側でベース１１の内方に突出する突起１１ｅ、１１ｅに突き当てると、ストッパ１２はこの位置で安定する（図８参照）。
【００５６】
次いで、図８に示すように、取付部材１０のベース１１内に位置決めされたストッパ１２は、ベース１１の溝部１１ｄから上方に板状の突出部１２ｄが突出しており、突出部１２ｄを下部カバー１７の凹部１７ｂに収納した状態で、突出部１２ｄに係止爪１７ａを係止する。具体的には、下部カバー１７の自重により、係止爪１７ａの棟側の内側面と突出部１２ｄの棟側の表面が当接し、下部カバー１７は位置決めされる。なお、下部カバー１７は、スレート瓦４に接触しない長さに調整されている（図１(ｃ)参照）。
【００５７】
この状態で、ストッパ止め具１３を横桟１５に配置し、締結部材１３Ａをストッパ１２の止めねじ１２ｅにねじ込んで、横桟１５を取付部材１０に固定する。これにより、取付部材１０の突出部１２ｄと横桟１５の軒先側の立ち上げ部１５ｂとの間に係止爪１７ａを挟み込むことができ、下部カバー１７を取付部材１０に簡単に取付けることができる。
【００５８】
このとき、図４および図９に示すように、軒先側の横桟１５の受け部１５ｃと、下部カバー１７の後述する係止爪１７ａとの間には、隙間Ｃが形成されるので、横桟１５を締結部材１３Ａを介して取付部材１０に取付けた際に、締結部材１３Ａの締め込みにより、受け部１５ｃと係止爪１７ａとが接触することを回避することができる。これにより、支持立ち上げ部１５ｄが棟側に傾き、これに連続したカバー押さえ部１５ｆが下部カバー１７から浮き上がることを防止し、締結部材１３Ａの締結時の軸方向に作用する力により、カバー押さえ部１５ｆで、下部カバー１７を押えることができる。このような結果、下部カバー１７と屋根面１Ｂとの隙間Ｈを一定の隙間にすることができる。
【００５９】
次に、図９に示すように横桟１５の支持立ち上げ部１５ｄの先端の軒先側の係合爪１５ｅに上部カバー１６の取付け部１６ｂの上端を係合し、止めねじ１６Ａをねじ込んで横桟１５に上部カバー１６を固定する。上部カバー１６の固定は、取付け部１６ｂの上端を係合爪１５ｅに係合して固定するため、施工が容易となる。また、上部カバー１６の下端１６ｄと屋根面１Ｂとの隙間Ｄは、スレート瓦４の厚みよりも大きくなっているので、上部カバー１６は、スレート瓦４に接触しない（図１（ｃ）参照）。
【００６０】
このあと、図１０に示すように、横桟１５の支持立ち上げ部１５ｄの先端の棟側の係合爪１５ｅに太陽光パネルＰの枠体Ｍａから外側に突出する引掛け部Ｍｂを係合させ、屋根材２に取付部材１０を介して太陽光パネルＰを固定することができる。なお、図示していないが、棟側の枠体Ｍａから外側に突出する引掛け部Ｍｂを、太陽光パネルＰの各モジュールの途中に位置する横桟の引掛け部に係合させることで、太陽光パネルＰを安定した状態で固定することができる。このようにして、上述した屋根構造１を得ることができる。
【００６１】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、屋根材として合板の例を示したが、これに限られるものでなく、木質セメント板、ＭＤＦ等の板材を適宜用いることもできる。
【００６２】
また、屋根材とリブ付き鋼板との間に、アスファルトルーフィングなどの防水シートを敷設した例を示したが、防水シートとして例えば樹脂シートを用いることもでき、さらに、これらのシート材は必ずしも必要でなく、屋根材の上に直接リブ付き鋼板を敷くように構成してもよい。
【符号の説明】
【００６３】
１：屋根構造、１Ａ：棟、１Ｂ：屋根面、１Ｃ：軒先、２：屋根材、３：防水シート、５：リブ付き鋼板、１０：取付部材、１１：ベース、１２：ストッパ、１２ｄ：突出部、１３：ストッパ止め具、１３Ａ：締結部材、１５：横桟、１５ａ：押さえ部、１５ｂ：立ち上げ部、１５ｃ：受け部、１６：上部カバー、１７：下部カバー、１７ａ：係止爪、１７ｂ：凹部、Ｌ：オフセット量、Ｈ：隙間、Ｐ：太陽光パネル（載置物）
【図１】
2018204216.tif 000003
【図２】
2018204216.tif 000004
【図３】
2018204216.tif 000005
【図４】
2018204216.tif 000006
【図５】
2018204216.tif 000007
【図６】
2018204216.tif 000008
【図７】
2018204216.tif 000009
【図８】
2018204216.tif 000010
【図９】
2018204216.tif 000011
【図１０】
2018204216.tif 000012